(57)【要約】【課題】屋外用照明器具にリモコン信号受光部を設けた場合に、リモコン信号受光部の誤作動を抑制することのできる屋外用照明器具を提供すること。【解決手段】器具本体１と、グローブ２と、ランプ４と、リモコン信号受光部７と、遮光板９とを有して構成されている。器具本体１は、鉄等の金属で、略中空円筒型に形成されるもので、壁面３に設置されている。グローブ２は、ガラス材料により有底円筒形状に形成されるもので、器具本体１の保持部１ａにより、器具本体１に保持されている。リモコン信号受光部７は、リモコン信号送信機８から赤外線領域の波長の信号を受信するもので、壁面３に前方向を向けて設けた受信部分７ａと、受信部分７ａを収納する箱体７ｂを備えている。遮光板９は、非透光性の材料からなるもので、リモコン信号受光部７の上側に、前方に突出し、そして前下方に傾斜するように形成されている。【選択図】        図２
2004259540.tif 000002
【特許請求の範囲】
【請求項１】
ランプと、リモコン信号送信機からの信号を受信するリモコン信号受光部と、を有する屋外用照明器具において、リモコン信号受光部の上側に前方に突出した遮光板を設けたこと特徴とする屋外用照明器具。
【請求項２】
前記遮光板は、リモコン信号受光部の前下方に傾斜しているものであることを特徴とする請求項１記載の屋外用照明器具。
【請求項３】
前記ランプは、遮光板の上方に位置するものであることを特徴とする請求項１又は請求項２記載の屋外用照明器具。
【請求項４】
前記リモコン信号送信機は、暗証コードを設定する暗証コード設定手段を有しており、リモコン信号送信機により設定した暗証コードを認証する制御部を有し、リモコン信号送信機が出力する暗証コードを制御部が認証した場合にのみ、ランプが点灯するものであることを特徴とする請求項１乃至請求項３記載の屋外用照明器具。
【請求項５】
前記暗証コード設定手段により設定した暗証コードは、屋内に設けた電源スイッチの所定の操作により解除されるものであることを特徴とする請求項４記載の屋外用照明器具。
【請求項６】
前記リモコン信号受光部が、リモコン信号送信機からの信号を受信した場合に、信号を受信したことを報知する報知部を設けたことを特徴とする請求項１乃至請求項５記載の屋外用照明器具。
【発明の詳細な説明】
【０００１】
【発明の属する技術分野】
本発明は、屋外用照明器具、特にその制御をリモコンで操作する屋外用照明器具に関するものである。
【０００２】
【従来の技術】
この種の従来例として、本出願人は、特開平１０−３２０９０号公報に示すものを提案している。このものは、焦電素子などを用いて、検知エリア内の人の存否を検出する人体検知センサを備え、制御部は、人体検知センサの出力を用いて照明負荷を制御する。また、照明装置に付加するものであるから、操作部を接続するための配線を不要とするためにリモコン信号受光部を設けてあり、リモコン送信機からの赤外線ないし電波を媒体とするリモコン信号を受信するようにしてある。つまり、リモコン送信機が制御部に指示を与える操作部として機能する。リモコン送信機は、照明負荷のオフのみを指示することができるものであって、主として退室ないし外出時に操作するために用いられる。人体検知センサ、制御部、照明負荷、リモコン信号受光部は器具本体に設けられて照明器具を構成する。制御部は、常時はセンサモードで動作し、センサモードでは人体検知センサの出力に基づいて照明負荷を点灯、消灯させる。センサモードでは人体検知センサの動作は、人体検知センサの検知エリア内に人が存在するときに照明負荷を点灯させ、人体検知センサにより人が検知されなくなると照明負荷を一定時間後（この時間を点灯保持時間という）に消灯させるというものである。
【０００３】
【特許文献１】
特開平１０−３２０９０号公報
【０００４】
【発明が解決しようとする課題】
前記従来例の照明装置は、室内で用いるものである。このものを、屋外で使用した場合には、リモコン信号受光部に太陽光に含まれる赤外線等が照射されて、リモコン信号受光部が誤作動することが懸念される。
【０００５】
本発明は、かかる事由に鑑みてなしたものであり、その目的とするところは、屋外用照明器具にリモコン信号受光部を設けた場合に、リモコン信号受光部の誤作動を抑制することのできる屋外用照明器具を提供することである。
【０００６】
【課題を解決するための手段】
請求項１に係る発明は、ランプと、リモコン信号送信機からの信号を受信するリモコン信号受光部と、を有する屋外用照明器具において、リモコン信号受光部の上側に前方に突出した遮光板を設けたこと特徴とする。
【０００７】
請求項２に係る発明は、請求項１記載の発明において、前記遮光板は、リモコン信号受光部の前下方に傾斜しているものであることを特徴とする。
【０００８】
請求項３に係る発明は、請求項１又は請求項２記載の発明において、前記ランプは、遮光板の上方に位置するものであることを特徴とする。
【０００９】
請求項４に係る発明は、請求項１乃至請求項３記載の発明において、前記リモコン信号送信機は、暗証コードを設定する暗証コード設定手段を有しており、リモコン信号送信機により設定した暗証コードを認証する制御部を有し、リモコン信号送信機が出力する暗証コードを制御部が認証した場合にのみ、ランプが点灯するものであることを特徴とする。
【００１０】
請求項５に係る発明は、請求項４記載の発明において、前記暗証コード設定手段により設定した暗証コードは、屋内に設けた電源スイッチの所定の操作により解除されるものであることを特徴とする。
【００１１】
請求項６に係る発明は、請求項１乃至請求項５記載の発明において、前記リモコン信号受光部が、リモコン信号送信機からの信号を受信した場合に、信号を受信したことを報知する報知部を設けたことを特徴とする。
【００１２】
【発明の実施の形態】
本実施形態を図１〜図８に基づいて説明する。図１は本実施形態の屋外用照明器具１００の斜視図である。図２は、本実施形態の屋外用照明器具１００のグローブ２の一部を切り欠いた側面図である。図３は、本実施形態の遮光板９及び側板部分９ａを示す図である。図４は、本実施形態の照明器具の回路ブロック図である。図５は、リモコン信号送信機８の回路ブロック図である。図６は、暗証コード設定手段８ａを示す図である。図７は、本実施形態の動作を示す図である。図８は、本実施形態の屋外用照明器具１００の設置状態を示す図である。
【００１３】
図１及び図２に示す本実施形態の屋外用照明器具は、器具本体１と、グローブ２と、ランプ４と、リモコン信号受光部７と、遮光枠９とを有して構成されている。
【００１４】
器具本体１は、鉄等の金属で、略中空円柱型に形成されるもので、壁面３の地上面から約２〜２．５ｍの位置に設置されている。器具本体１の外周部分には、２つの略コの字状の保持部１ａが所定の外周部分と対向する外周部分間に掛け渡って設けられている。グローブ２は、ガラス材料により有底円筒形状に形成されるもので、器具本体１の保持部１ａにより、器具本体１に保持されている。ランプ４は、たとえば電球であり、器具本体１の遮光板９上部に金具５を介して取り付けられたソケット６に装着されている。リモコン信号受光部７は、リモコン信号送信機８から赤外線領域の波長の信号を受信するもので、壁面３に対して前方向を向けて設けた受信部分７ａと、受信部分７ａを収納する箱体７ｂを備えている。遮光板９は、非透光性の材料からなるもので、リモコン信号受光部７の上側に前方に突出し、そして前下方に傾斜して形成されている。また、図３に示すように遮光板９に直交するように側板９ａを設けてもよい。
【００１５】
図４は、本実施形態のブロック図である。図４に示すように、ランプ４及びリモコン信号受光部７は、制御部１０に接続されている。また、制御部１０には、器具本体１の近傍に存在する人を検知する人センサ部１１、器具本体１の近傍の照度を検出する明るさセンサ部１２、リモコン信号受光部７が、リモコン信号送信機８からの信号を受信した場合に、信号を受信したことを報知する報知部１３が接続されている。報知部１３の具体例としては、例えばＬＥＤ等の光源である。ここで、制御部１０は、人センサ部１１及び明るさセンサ部１２の出力を受けて、ランプ４の出力を所定の動作モードにしたがって制御するものである。動作モードには、人センサ部１１が器具本体１の近傍に存在する人を検知した場合にランプ４の出力をＯＮするセンサモード、同じく人センサ部１１が器具本体１の近傍に存在する人を検知した場合にランプ４を点滅させる防犯モード、人センサ部１１及び明るさセンサ部１２の出力に無関係に連続点灯する連続点灯モードがある。なお、これらのモードは、後述する暗証コードが認証されたリモコン信号送信機８によって切り替えるようになっている。
【００１６】
また、図５に示すように、リモコン信号送信機８は、暗証コードを設定する暗証コード設定手段８ａ、送信制御部８ｄ、設定した暗証コードをリモコン信号受光部７に送信するリモコン送信部８ｅで構成される。暗証コード設定手段８ａは、図６に示すように、計８個のディプスイッチ８ｂからなる。ディップスイッチ８ｂは、上下方向に切り替え自在の操作部８ｃを備えている。ここで、操作部８ｃを上方に位置させた場合は、「１」が設定される。また、操作部８ｃを下方に位置させた場合は、「０」が設定される。このように、各ディップスイッチ８ｂの操作部８ｃを「１」又は「０」に設定することにより８桁の暗証コードを設定する。また、本実施形態の電源をＯＮ・ＯＦＦする電源スイッチ１４は、図８に示すように家屋１５の屋内に設置される。
【００１７】
以上の構成において、電源スイッチ１４をＯＮにすると、まず、暗証コード設定モードが約１５秒継続し、この間に使用者は、リモコン信号送信機８を用いて、設定した暗証コードをリモコン信号受光部７に出力する。この操作を昼間に行う場合、図２に示すようにリモコン信号受光部７の上方向からは、太陽光５が照射されるが、それらの光は、遮光板９に吸収又は受信部分７ａから離れる方向に反射される。これにより、リモコン信号受光部７には太陽光５が照射されにくくなる。また、遮光板９は、リモコン信号受光部７の前下方に傾斜しているため、太陽の位置が低い場合においても、リモコン信号受光部７には太陽光５が照射されにくくなる。一方、器具本体１は、壁面３の地上面から約２〜２．５ｍの位置に設置されるため、使用者が用いるリモコン信号送信機８からの信号は、通常リモコン信号受光部７の下方向から受信部分７ａ目がけて出力される。この場合、一部のリモコン信号送信機８からの信号は、遮光板９に当たることなく受信部分７ａに到達する。また、一部のリモコン信号送信機８からの信号は、遮光板９によって反射されて受信部分７ａに到達する。以上のように、リモコン信号送信機８以外からの赤外光は、リモコン信号受光部７に到達しにくくなるので、リモコン信号受光部７の誤作動を抑制することができる。
【００１８】
次に、リモコン信号受光部７が信号を受信すると、制御部１０は、リモコン信号受光部７からの信号によって得られる暗証コードを制御部１０内に保持する。その後、制御部１０は、リモコン信号受光部７からの暗証コードが、制御部１０内に保持された暗証コードと一致した場合、即ち認証した場合にのみ、正規のリモコン信号送信機８と判断する。
【００１９】
そして、正規のリモコン信号送信機８から、防犯モードの信号が出力されると、リモコン信号受光部７が受信し、報知部１３であるＬＥＤが数秒間点滅する。そして、リモコン信号受光部７から制御部１０に信号が出力され、防犯モードに移行し、ランプ４が点滅する。ここで、前述のようにランプ４は、遮光板９の上方に位置しているため、ランプ４の光出力に含まれる赤外線は、遮光板９により反射もしくは吸収されて受信部分７ａには到達しない。また、この状態において正規外のリモコン信号送信機８から信号がリモコン信号受光部７に出力されても、制御部１０内に保持された暗証コードと正規外のリモコン信号送信機８が出力した暗証コードは一致しないため、動作モードは変わらない。以上のように、特定のリモコン信号送信機８でしか動作モードを設定できなくなるので、第三者に勝手に設定を変えられないようにすることができる。また、リモコン信号受光部７がリモコン信号送信機８からの信号を受信した時に、報知部１３であるＬＥＤが点滅するため、使用者は信号が受信されたことを知ることができる。
【００２０】
また、本実施形態において、リモコン信号送信機８を紛失した場合には、屋内に設けた電源スイッチ１４を遮断する。これにより、制御部１０内に設定された暗証コードは消去され、リモコン信号送信機８を紛失した場合や、暗証コードを忘れてしまった場合に、リモコン信号送信機８を用いることなく暗証コードの解除を行うことができる。また、電源スイッチ１４を屋内に設けているため、第三者に勝手に暗証コードを解除されることもない。
【００２１】
なお、本実施形態においては、ランプ４を、遮光板９の上方に設置したが、図３に示す側板９ａの側方にランプ４を設置してもよい。また、報知部１３としてＬＥＤを用いたが、ブザーを用いてもよい。さらにまた、前述の各モードは、暗証コードが認証されたリモコン信号送信機８によって切り替えるようにしたが、電源スイッチ１４で各モードを切り替えるようにしてもよい。
【００２２】
【発明の効果】
請求項１に係る発明は、ランプと、リモコン信号送信機からの信号を受信するリモコン信号受光部と、を有する屋外用照明器具において、リモコン信号受光部の上側に前方に突出した遮光板を設けたので、太陽光に含まれる赤外光がリモコン信号受光部に到達しにくくなり、リモコン信号受光部の誤作動を抑制することができる。
【００２３】
請求項２に係る発明は、請求項１記載の発明において、前記遮光板は、リモコン信号受光部の前下方に傾斜しているものであるようにしたので、太陽の位置が比較的低い場合にも、ランプ出力又は太陽光に含まれる赤外光がリモコン信号受光部に到達しにくくなり、よりリモコン信号受光部の誤作動を抑制することができる。
請求項３に係る発明は、請求項１又は請求項２記載の発明において、前記ランプは、遮光板の上方に位置するものであるようにしたので、ランプの光出力に含まれる赤外光がリモコン信号受光部に到達しにくくなり、リモコン信号受光部の誤作動を抑制することができる。
【００２４】
請求項４に係る発明は、請求項１乃至請求項３記載の発明において、前記リモコン信号送信機は、暗証コードを設定する暗証コード設定手段を有し、前記器具本体内には、リモコン信号送信機により設定した暗証コードを認証する制御部を有し、リモコン信号送信機が出力する暗証コードを制御部が認証した場合にのみ、ランプが点灯するものであるようにしたので、特定のリモコン信号送信機でしか照明器具を操作できなくなるので、第三者に勝手に設定を変えられないようにすることができる。
【００２５】
請求項５に係る発明は、請求項４記載の発明において、前記暗証コード設定手段により設定した暗証コードは、屋内に設けた電源スイッチの所定の操作により解除されるものであるようにしたので、リモコン信号送信機を紛失した場合や、暗証コードを忘れてしまった場合に、住居人のみが暗証コードの解除をすることができる。
【００２６】
請求項６に係る発明は、請求項１乃至請求項５記載の発明において、前記リモコン信号受光部が、リモコン信号送信機からの信号を受信した場合に、信号を受信したことを報知する報知部を設けたので、リモコン信号送信機からの信号が受信されたことを知ることができる。
【図面の簡単な説明】
【図１】実施形態の屋外用照明器具１００の斜視図である。
【図２】実施形態の屋外用照明器具１００のグローブ２の一部を切り欠いた側面図である
【図３】実施形態の遮光板９及び側板９ａを示す図である。
【図４】実施形態の回路ブロック図である。
【図５】リモコン信号送信機８の回路ブロック図である。
【図６】暗証コード設定手段８ａを示す図である。
【図７】実施形態の動作を示す図である。
【図８】実施形態の屋外用照明器具１００の設置状態を示す図である。
【符号の説明】
１    器具本体１
１ａ  保持部
３    グローブ
４    ランプ
５    太陽光
６    ソケット
７    リモコン信号受光部
７ａ  受信部分
８    リモコン信号送信機
８ａ  暗証コード設定手段
８ｂ  ディップスイッチ
８ｃ  操作部
８ｄ  送信制御部
８ｅ  リモコン送信部
９    遮光板
９ａ  側板
１０  制御部
１００  屋外用照明器具
【図１】
2004259540.tif 000003
【図２】
2004259540.tif 000004
【図３】
2004259540.tif 000005
【図４】
2004259540.tif 000006
【図５】
2004259540.tif 000007
【図６】
2004259540.tif 000008
【図７】
2004259540.tif 000009
【図８】
2004259540.tif 000010